(57)【特許請求の範囲】
【請求項１】
携帯端末装置からのユーザの睡眠に関する検出データを入力する第１の工程と、
前記第１の工程で入力した検出データを基に、前記ユーザが睡眠を開始したか否かを判定する第２の工程と、
前記第２の工程で睡眠を開始したと判定すると、一定期間の前記検出データを基に、前記ユーザの睡眠時間、睡眠開始時刻、連続睡眠時間、寝返り状態、起き上がり状態、いびきの少なくとも一つの睡眠状態を特定する第３の工程と、
前記睡眠状態と睡眠評価との対応を示す予め準備された対応テーブルデータを参照して、前記第３の工程で特定した睡眠状態に対応する前記睡眠評価を取得する第４の工程と、
前記第４の工程で取得した前記睡眠評価に対応付けられた羊のキャラクターの表示形態を、前記睡眠評価の優劣の段階において相互に異なる前記羊の毛の表示形態となるように決定する第５の工程と、
前記携帯端末装置がアラーム音を出力した後に、前記ユーザによるアラーム停止操作が行われたことを示す情報を前記携帯端末装置から入力すると、前記第５の工程で決定した表示形態で前記羊のキャラクターを前記携帯端末装置に表示する第６の工程と、
前記第６の工程の後に、前記第５の工程で表示した羊のキャラクターの毛を刈り取る操作を入力すると、当該操作に応じて刈り取り後の毛の羊のキャラクターを前記携帯端末装置に表示する第７の工程と、
前記第６の工程で表示した前記羊のキャラクターの表示形態が示す意味を、前記第３の工程で特定した前記睡眠状態と関係づけて説明する情報を前記携帯端末装置に表示する第８の工程と
をコンピュータに実行させる睡眠改善支援プログラム。
【請求項２】
コンピュータが実行する睡眠改善支援方法であって、
携帯端末装置からのユーザの睡眠に関する検出データを入力する第１の工程と、
前記第１の工程で入力した検出データを基に、前記ユーザが睡眠を開始したか否かを判定する第２の工程と、
前記第２の工程で睡眠を開始したと判定すると、一定期間の前記検出データを基に、前記ユーザの睡眠時間、睡眠開始時刻、連続睡眠時間、寝返り状態、起き上がり状態、いびきの少なくとも一つの睡眠状態を特定する第３の工程と、
前記睡眠状態と睡眠評価との対応を示す予め準備された対応テーブルデータを参照して、前記第３の工程で特定した睡眠状態に対応する前記睡眠評価を取得する第４の工程と、
前記第４の工程で取得した前記睡眠評価に対応付けられた羊のキャラクターの表示形態を、前記睡眠評価の優劣の段階において相互に異なる前記羊の毛の表示形態となるように決定する第５の工程と、
前記携帯端末装置がアラーム音を出力した後に、ユーザによるアラーム停止操作が行われたことを示す情報を前記携帯端末装置から入力すると、前記第５の工程で決定した表示形態で前記羊のキャラクターを前記携帯端末装置に表示する第６の工程と、
前記第６の工程の後に、前記第５の工程で表示した羊のキャラクターの毛を刈り取る操作を入力すると、当該操作に応じて刈り取り後の毛の羊のキャラクターを前記携帯端末装置に表示する第７の工程と、
前記第６の工程で表示した前記羊のキャラクターの表示形態が示す意味を、前記第３の工程で特定した前記睡眠状態と関係づけて説明する情報を前記携帯端末装置に表示する第８の工程と
を前記コンピュータが実行する睡眠改善支援方法。
【発明の詳細な説明】
【技術分野】
【０００１】
本発明は、ユーザも睡眠状態を特定し、その改善を図ることを支援するゲーム等に用いられる睡眠改善支援プログラム及びその方法に関するものである。
【背景技術】
【０００２】
正しい睡眠をとることは健康にとても重要である。
正しい睡眠に関する情報は書籍やウェブ等で数多く発信されている。
【発明の概要】
【発明が解決しようとする課題】
【０００３】
しかしながら、正しい睡眠についての知識があっても、実際に実行することは容易ではない。そのため、一時的には正しい睡眠をとれても、習慣化するまで長続きすることは難しいのが現状である。
【０００４】
本発明はかかる事情に鑑みてなされたものであり、その目的は、ユーザが正しい睡眠を習慣化するまで容易に続けることを支援する睡眠改善支援プログラム及びその方法を提供することにある。
【課題を解決するための手段】
【０００５】
上述した目的を達成するために、本発明の睡眠改善支援プログラムは、携帯端末装置からのユーザの睡眠に関する検出データを入力する第１の工程と、前記第１の工程で入力した検出データを基に、前記ユーザが睡眠を開始したか否かを判定する第２の工程と、前記第２の工程で睡眠を開始したと判定すると、一定期間の前記検出データを基に、前記ユーザの睡眠時間、睡眠開始時刻、連続睡眠時間、寝返り状態、起き上がり状態、いびきの少なくとも一つの睡眠状態を特定する第３の工程と、前記睡眠状態と睡眠評価との対応を示す予め準備された対応テーブルデータを参照して、前記第３の工程で特定した睡眠状態に対応する前記睡眠評価を取得する第４の工程と、前記第４の工程で取得した前記睡眠評価に対応付けられた羊のキャラクターの表示形態を、前記睡眠評価の優劣の段階において相互に異なる前記羊の毛の表示形態となるように決定する第５の工程と、前記携帯端末装置がアラーム音を出力した後に、前記ユーザによるアラーム停止操作が行われたことを示す情報を前記携帯端末装置から入力すると、前記第５の工程で決定した表示形態で前記羊のキャラクターを前記携帯端末装置に表示する第６の工程と、前記第６の工程の後に、前記第５の工程で表示した羊のキャラクターの毛を刈り取る操作を入力すると、当該操作に応じて刈り取り後の毛の羊のキャラクターを前記携帯端末装置に表示する第７の工程と、前記第６の工程で表示した前記羊のキャラクターの表示形態が示す意味を、前記第３の工程で特定した前記睡眠状態と関係づけて説明する情報を前記携帯端末装置に表示する第８の工程とをコンピュータに実行させる。
【０００６】
本発明の睡眠改善支援方法は、コンピュータが実行する睡眠改善支援方法であって、携帯端末装置からのユーザの睡眠に関する検出データを入力する第１の工程と、前記第１の工程で入力した検出データを基に、前記ユーザが睡眠を開始したか否かを判定する第２の工程と、前記第２の工程で睡眠を開始したと判定すると、一定期間の前記検出データを基に、前記ユーザの睡眠時間、睡眠開始時刻、連続睡眠時間、寝返り状態、起き上がり状態、いびきの少なくとも一つの睡眠状態を特定する第３の工程と、前記睡眠状態と睡眠評価との対応を示す予め準備された対応テーブルデータを参照して、前記第３の工程で特定した睡眠状態に対応する前記睡眠評価を取得する第４の工程と、前記第４の工程で取得した前記睡眠評価に対応付けられた羊のキャラクターの表示形態を、前記睡眠評価の優劣の段階において相互に異なる前記羊の毛の表示形態となるように決定する第５の工程と、前記携帯端末装置がアラーム音を出力した後に、ユーザによるアラーム停止操作が行われたことを示す情報を前記携帯端末装置から入力すると、前記第５の工程で決定した表示形態で前記羊のキャラクターを前記携帯端末装置に表示する第６の工程と、前記第６の工程の後に、前記第５の工程で表示した羊のキャラクターの毛を刈り取る操作を入力すると、当該操作に応じて刈り取り後の毛の羊のキャラクターを前記携帯端末装置に表示する第７の工程と、前記第６の工程で表示した前記羊のキャラクターの表示形態が示す意味を、前記第３の工程で特定した前記睡眠状態と関係づけて説明する情報を前記携帯端末装置に表示する第８の工程と前記コンピュータが実行する。
【発明の効果】
【００１２】
本発明によれば、ユーザが正しい睡眠を習慣化するまで容易に続けることを支援する睡眠改善支援プログラム及びその方法を提供することができる。
【図面の簡単な説明】
【００１３】
【図１】図１は、本発明の実施形態に係る睡眠改善支援システムの全体構成図である。
【図２】図２は、図１に示す携帯端末装置の機能ブロック図である。
【図３】図３は、図１に示すサーバの機能ブロック図である。
【図４】図４は、図１に示す睡眠改善支援システムの動作例を説明するためのフローチャートである。
【図５】図５は、図１に示す睡眠改善支援システムの第１のアプリ例の画面を説明するための図である。
【図６】図６は、図１に示す睡眠改善支援システムの第１のアプリ例の画面を説明するための図である。
【図７】図７は、図１に示す睡眠改善支援システムの第１のアプリ例の画面を説明するための図である。
【図８】図８は、図１に示す睡眠改善支援システムの第２のアプリ例の画面を説明するための図である。
【図９】図９は、図１に示す睡眠改善支援システムの第２のアプリ例の画面を説明するための図である。
【図１０】図１０は、図１に示す睡眠改善支援システムの第２のアプリ例の画面を説明するための図である。
【図１１】図１１は、図１に示す睡眠改善支援システムの第３のアプリ例の画面を説明するための図である。
【図１２】図１２は、図１に示す睡眠改善支援システムの第３のアプリ例の画面を説明するための図である。
【図１３】図１３は、図１に示す睡眠改善支援システムの第３のアプリ例の画面を説明するための図である。
【発明を実施するための形態】
【００１４】
以下、本発明の実施形態に係る睡眠改善支援システムを用いたゲームについて説明する。
本実施形態の睡眠改善支援システムは、例えば、眠りとゲームを関連付けたシステムである。
図１は、本発明の実施形態に係る睡眠改善支援システム１の全体構成図である。
図１に示すように、睡眠改善支援システム１は、複数の携帯端末装置４と、サーバ１０とがネットワーク９を介して通信可能に構成されている。
【００１５】
［携帯端末装置４］
携帯端末装置４は、例えばスマートフォン等である。
携帯端末装置４は、例えば、ユーザが睡眠を介する際に、ユーザの寝返り等の振動やいびき等の音を検出可能な位置、例えば枕元等で置かれる。
【００１６】
図２は、図１に示す携帯端末装置４の機能ブロック図である。
図２に示すように、携帯端末装置４は、例えば、通信部２１、タッチパネル２２、操作部２３、メモリ２４、センサ２５および処理部２７を有している。
【００１７】
通信部２１は、サーバ１０と通信を行う機能を備えている。
タッチパネル２２は、処理部２７が実行する管理プログラムＰＲＧ１が提供する様々な画面を表示する。また、タッチパネル２２は、ユーザによるパネル接触操作に応じた操作データを処理部２７に出力する。
【００１８】
操作部２３は、ボタン等の操作手段である。
メモリ２４は、処理部２７が実行するプログラムＰＲＧ１、処理部２７の処理に用いられるデータを一時的に記憶する。
【００１９】
センサ２５は、加速度センサ、角加速度センサ、温度センサ、湿度センサ、マイク（音センサ）等であり、携帯端末装置４の姿勢、近くにいるユーザが発する音、ユーザの動きに応じて携帯端末装置４に生じた加速度のうち少なくとも一つを検出する。センサ２５は、検出結果をメモリ２４に記憶する。
メモリ２４に記憶された情報を所定のトリガーにより、通信部２１を介してサーバ１０に送信される。
【００２０】
処理部２７は、プログラムＰＲＧ１（ゲームアプリ）を実行して携帯端末装置４の処理を統括的に制御する。
【００２１】
図３は、図１に示すサーバ１０の機能ブロック図である。
図３に示すように、携帯端末装置４は、例えば、通信部３１、メモリ３４および処理部３７を有している。
【００２２】
通信部３１は、携帯端末装置４と通信を行う機能を備えている。
メモリ３４は、処理部３７が実行するプログラムＰＲＧ２、処理部３７の処理に用いられるデータを一時的に記憶する。
【００２３】
処理部３７は、プログラムＰＲＧ２を実行してサーバ１０の処理を統括的に制御する。
【００２４】
以下、睡眠改善支援システム１の動作例について説明する。
図４は、図１に示す睡眠改善支援システム１の動作例を説明するためのフローチャートである。
ステップＳＴ１１：
携帯端末装置４は、センサ２５の検出結果をメモリ２４に記憶し、一定期間毎、あるいは所定の条件になったことをトリガーとして当該検出結果をサーバ１０に送信する。
サーバ１０は、携帯端末装置４から受信した検出結果をメモリ３４に記憶する。
【００２５】
ステップＳＴ１２：
サーバ１０の処理部３７は、メモリ３４から検出結果を読み出して、ユーザが睡眠を開始したか否かの判定を行う。具体的には、処理部３７は、夜間等の所定の時刻範囲において、携帯端末装置４のタッチパネル２２が下向きの姿勢で一定期間保持されか否かを検出結果を基に判定する。
処理部３７は、睡眠開始と判定するとステップＳＴ１３に進み、そうでないとステップＳＴ１１に戻る。
【００２６】
ステップＳＴ１３：
サーバ１０の処理部３７は、メモリ３４から読み出した検出結果を基に、ユーザの睡眠状態を特定する。具体的には、処理部３７は、検出結果を基に、ユーザの睡眠時間、睡眠開始時刻、連続睡眠時間、寝返り状態、起き上がり状態、いびき等の睡眠状態を特定し、これをメモリ３４に記憶する。
【００２７】
ステップＳＴ１４：
サーバ１０の処理部３７は、ステップＳＴ１３で得た睡眠状態の情報をメモリ３４から読み出し、これを基に睡眠評価データを生成し、これをメモリ３４に記憶する。
具体的には、睡眠状態を示す指標と、睡眠評価（例えば、高評価から低評価の複数のレベル）との対応を示す対応テーブルデータを予め準備する。処理部３７は、実際に得た睡眠情報（指標）と、対応テーブルデータとから、当該指標に対応する睡眠評価データを取得し、これをメモリ３４に記憶する。
【００２８】
ステップＳＴ１５：
サーバ１０の処理部３７は、ステップＳＴ１４で得た睡眠評価データに対応付けられたキャラクターの表示形態を決定する。例えば、携帯端末装置４のタッチパネル２２に表示するキャラクターが羊の場合に、睡眠状態の優劣の段階において相互に異なる羊の毛の表示形態を決定する。
このとき、処理部３７は、睡眠評価データのレベルと連動して毛が伸びる羊の表示形態を決定する。また、毛の伸びに色の変化等を加えてもよい。
【００２９】
ステップＳＴ１６：
携帯端末装置４は、設定された時刻にアラーム音を出力し、アラーム停止操作が行われると、アラーム停止を示す情報をサーバ１０に送信する。
サーバ１０は、携帯端末装置４からアラーム停止を示す情報を入力すると、ステップＳＴ１７に進む。
【００３０】
ステップＳＴ１７：
サーバ１０は、ステップＳＴ１５で決定した表示形態でキャラクターを携帯端末装置４のタッチパネル２２に表示させる。
サーバ１０は、ステップＳＴ１３の処理に用いられる検出結果を継続して定期的に受信するか、アラーム停止情報を取得したときに一括して受信して、受信後にステップＳＴ１３〜ＳＴ１５の処理を行うようにしてもよい。
【００３１】
ステップＳＴ１８：
ユーザは、携帯端末装置４のタッチパネル２２に表示されたキャラクターに対して指などで操作を行う。例えば、羊のキャラクタの毛を刈り取る操作等を行う。携帯端末装置４は、操作情報をサーバ１０に送信する。サーバ１０は、携帯端末装置４から操作情報を入力したか否かを判定し、入力したと判定した場合にステップＳＴ１９に進む。
【００３２】
ステップＳＴ１９：
サーバ１０は、ステップＳＴ１８で入力した操作情報に基づいて、操作後の表示形態でキャラクターを携帯端末装置４のタッチパネル２２に表示させる。
例えば、ユーザが毎朝毛を刈り取ってウールを収穫操作を行う。この場合に、サーバ１０は、携帯端末装置４から収穫操作の情報を行うと、羊のキャラクターの毛を刈り取る操作画像と、操作後の毛を示す表示形態でキャラクタを携帯端末装置４のタッチパネル２２に表示する処理を行う。
【００３３】
ステップＳＴ２０：
サーバ１０は、ステップＳＴ１７で表示したキャラクターの表示形態が示す意味を、特定したユーザの睡眠状態と関係づけて説明する情報を携帯端末装置４に表示する。ユーザは当該説明を基に、今後の睡眠について考えることができる。
【００３４】
以上説明したように、睡眠改善支援システム１によれば、ユーザは自らの睡眠状態を把握することができる共に、その睡眠状態がキャラクターの表示形態に反映させるため、ゲーム感覚で、睡眠状態を改善しようというインセンティブを誘発できる。そのため、ユーザが正しい睡眠を負担なく長期間継続させることが支援できる。
また、ユーザは就寝直前と起床直後に携帯端末装置４により、睡眠改善支援システム１の機能を実現するためのアプリを起動するため、それに合わせて睡眠に関する有用な情報や広告を毎日発信することができる。
【００３５】
［第１のアプリ例］
例えば、図５及び図６に示すように、サーバ１０は、携帯端末装置４の目覚まし音が鳴り響き、ユーザが携帯端末装置４で停止操作（ＷＡＫＥ  ＵＰ操作）を行うと、羊のウールがのび始める表示形態で羊のキュラクターをタッチパネル２２に表示させる。サーバ１０は、睡眠状態の良否を細かく評価し、それに応じて毛の色や形を決定する。そして、携帯端末装置４のタッチパネル２２上でユーザが毛を刈り取る操作をすると、それをポイント化する。また、建物や野菜等が成長するキャラクターをユーザがコレクション化できるようにしてもよい。
次に、図７に示すように、ユーザによる毛の刈り取り操作が終わると、「なぜこの形と色の羊毛になったのか」を謎解くための睡眠情報を表示する。
【００３６】
［第２のアプリ例］
就寝前にユーザが携帯端末装置４を操作してアラームを設定すると、図８に示すように、ユーザが眠る演出画像がタッチパネル２２に表示される。そして、タッチパネル２２に表示されたゲーム主人公（キャラクター）が活動報告を行う。
次に、ユーザが起床して、携帯端末装置４を操作してアラームを止めてアプリ画面を立ち上げると、図９に示すように、主人公がどれだけ体力回復したかが分かる画面がタッチパネル２２に表示される。そして、主人公は冒険にでる。このとき、体力回復の程度は、前述した睡眠評価データのレベルによってサーバ１０が決定する。
ベストな睡眠ができると、主人公は全回復するが、そうでないと回復が十分ではなくなる。その場合には、図１０に示すように、ユーザは睡眠情報をチェックし、必要に応じて、適した睡眠アイテムの購入操作をタッチパネル２２上で行えるようにサーバ１０が制御する。
主人公の代わりにしっかり眠りをコンセプトにした、ユーザプレイは寝るだけの新感覚ロールプレインゲームを実現できる。
【００３７】
［第３のアプリ］：
図１１に示すように、携帯端末装置４のタッチパネル２２に表示されたペット画像から飼いたいペットを選択する。ペット画像は、羊、その他の定番動物をはじめ、宇宙人やロボット等のキャラクターである。
携帯端末装置４は、図１２に示すように、アラーム音の出力と共に、サーバ１０からの制御に応じて、睡眠から目覚めた（起きた）ペット画像を表示する。このとき、サーバ１０は、ユーザの睡眠評価データに応じて、ペット画像の体調や元気度を決定する。
そして、図１３に示すように、ユーザは、携帯端末装置４を操作してペットの体調についての理由を知るために睡眠情報を表示する。
当該アプリによれば、ユーザのペットに対しての母性本能を刺激して、ユーザが積極的に良い睡眠をとるように誘導できる。
【００３８】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した実施形態では、携帯端末装置４としてスマートフォンを例示したが、携帯端末装置４の機能を枕等に内蔵させてもよい。また、スマートフォン以外の機器で実現してもよい。
【００３９】
また、上述した実施形態で説明したサーバ１０の処理の一部又は全てを、携帯端末装置４上で動作するプログラムＰＲＧ１（アプリ）で実行するようにしてもよい。
また、上述した睡眠状態に応じて表示する画像の種類は任意である。
【産業上の利用可能性】
【００４０】
本発明は、睡眠改善支援システムに適用可能である。
【符号の説明】
【００４１】
１…睡眠改善支援システム
４…携帯端末装置
２１…通信部
２２…タッチパネル
２３…操作部
２４…メモリ
２５…センサ
２７…処理部
１０…サーバ
３１…通信部
３４…メモリ
３５…処理部
【図１】
0006719780.tif 000002
【図２】
0006719780.tif 000003
【図３】
0006719780.tif 000004
【図４】
0006719780.tif 000005
【図５】
0006719780.tif 000006
【図６】
0006719780.tif 000007
【図７】
0006719780.tif 000008
【図８】
0006719780.tif 000009
【図９】
0006719780.tif 000010
【図１０】
0006719780.tif 000011
【図１１】
0006719780.tif 000012
【図１２】
0006719780.tif 000013
【図１３】
0006719780.tif 000014